(57)【要約】  管理サーバー（２００）は、対象者に対するケアの記録に従って、対話端末（７００）に対して、当該ケアに関する質問の出力を指示する。対話端末（７００）は、当該指示に応じて、質問を出力する。入居者（８００）は、当該質問に回答する。対話端末（７００）を介して、管理サーバー（２００）は、上記質問に対する回答を取得し、ケアの記録と回答とを関連付けて記憶装置に記録する。
2020066313.tif 000002
【特許請求の範囲】
【請求項１】
コンピューターによって実行される方法であって、
対象者に対するケアの記録に従って、前記対象者に対して、当該ケアに関する質問を出力するステップと、
前記質問に対する回答を取得するステップと、
前記ケアの記録と前記回答とを関連付けて記憶装置に記録するステップとを備える、見守りシステムにおける情報管理方法。
【請求項２】
前記ケアの記録として、前記対象者が前記ケアを提供された居室の画像、前記対象者の状態を検出するセンサーの検出出力、および、前記ケアを提供した者から入力された情報の中の少なくとも１種類の情報を取得するステップをさらに備える、請求項１に記載の情報管理方法。
【請求項３】
前記ケアの記録に従って、前記質問を選択または生成するステップをさらに備える、請求項１または請求項２に記載の情報管理方法。
【請求項４】
前記質問を選択または生成するステップは、前記対象者に対する質問の履歴に従って前記質問を選択または生成することを含む、請求項３に記載の情報管理方法。
【請求項５】
前記ケアを提供した者が前記対象者の居室から退出したことを検出するステップをさらに備え、
前記質問を出力するステップは、前記ケアを提供した者が前記居室から退出していることを条件として前記質問を出力することを含む、請求項１〜請求項４のいずれか１項に記載の情報管理方法。
【請求項６】
コンピューターのプロセッサーによって実行されることにより、前記コンピューターに請求項１〜請求項５のいずれか１項に記載の方法を実施させるための、プログラム。
【請求項７】
ケアに関する質問を出力する対話端末と通信する通信インターフェースと、
前記ケアの対象者に対するケアの記録に従って、前記対話端末に対して、前記質問の出力を指示するプロセッサーとを備え、
前記プロセッサーは、前記対話端末から前記質問に対する回答を取得し、当該回答を、前記ケアの記録に関連付けて記録する、情報処理装置。
【請求項８】
対象者に対するケアに従った質問であって、当該ケアに関する質問を出力する出力部と、
前記質問に対する回答を取得する入力部と、
前記入力部によって取得された前記回答を、前記ケアの記録に関連付けて記録するプロセッサーとを備える、ケア情報管理システム。
【請求項９】
対象者に対するケアに従った質問であって、当該ケアに関する質問を出力する出力部と、
前記質問に対する回答を取得する入力部と、
前記入力部によって取得された前記回答を、前記ケアの記録を管理するサーバーへ送信する通信インターフェースとを備える、対話端末。
【発明の詳細な説明】
【技術分野】
【０００１】
本開示は、対象者へのケアの提供に関する、当該対象者による評価の管理に関する。
【背景技術】
【０００２】
従来、病院や介護施設等の、対象者に対するケアを提供する側は、対象者を観察し、当該観察の結果に従ってケアを提供していた。このようなケアを提供するシステムについて、種々提案がなされている。【０００３】
たとえば、特許第５７２２６５９号公報（特許文献１）は、赤外線センサーを用いた離床通知装置を用いたシステムを開示する。当該システムでは、マイクおよび／またはスピーカーによる居室内との会話ならびに生体モニターなどのセンサーを用いて対象者の状態を検出することにより、誤報への対応を減らすための試みがなされている。また、特開２０１８−４１１３４号公報（特許文献２）は、ケアを受ける人から離れた場所にいる家族などのスケジュールをインプットとして、声掛け内容を自動生成するシステムを開示する。【０００４】
このようなシステムでは、ケアの質の向上を図るため、対象者からのケアに対する評価を考慮することが重要である。特開２００２−３３４１５７号公報（特許文献３）は、福祉サービスを提供する福祉支援システムにおいて、当該システムの導入後の福祉サービスに対する評価を確立する技術を開示する。
【先行技術文献】
【特許文献】
【０００５】
【特許文献１】特許第５７２２６５９号公報
【特許文献２】特開２０１８−４１１３４号公報
【特許文献３】特開２００２−３３４１５７号公報
【発明の概要】
【発明が解決しようとする課題】
【０００６】
特許文献３に開示された技術では、ケアを評価するためのデータを収集する作業として、サービス提供者による聞き取り作業が想定されている。しかしながら、ケアの対象者は、ケアを必要とする点においてシステムにおける「弱者」であるため、ケアを提供する側に率直な評価を提供できない事態が想定され得る。したがって、特許文献３に開示された技術では、正確な評価が取得できない事態が想定され得る。さらに、特許文献３に開示された技術では、サービス提供者は、聞き取り作業に人員を必要とされる。介護の分野において人手不足が深刻な現状に加えて、さらに、聞き取り作業に人員を必要とすることは、サービス提供者における人手不足に拍車をかけ、サービス提供者によるサービスの提供の質の低下に拍車をかけるおそれさえ生じ得る。【０００７】
本開示は、係る実情に鑑み考え出されたものであり、その目的は、ケア提供者に負担をかけることなく、ケアに関する正確な評価を取得するための技術を提供することである。
【課題を解決するための手段】
【０００８】
本開示のある局面に従うと、コンピューターによって実行される方法であって、対象者に対するケアの記録に従って、対象者に対して、当該ケアに関する質問を出力するステップと、質問に対する回答を取得するステップと、ケアの記録と回答とを関連付けて記憶装置に記録するステップとを備える、見守りシステムにおける情報管理方法が提供される。【０００９】
情報管理方法は、ケアの記録として、対象者がケアを提供された居室の画像、対象者の状態を検出するセンサーの検出出力、および、ケアを提供した者から入力された情報の中の少なくとも１種類の情報を取得するステップをさらに備えていてもよい。【００１０】
情報管理方法は、ケアの記録に従って、質問を選択または生成するステップをさらに備えていてもよい。【００１１】
質問を選択または生成するステップは、対象者に対する質問の履歴に従って質問を選択または生成することを含んでいてもよい。【００１２】
情報管理方法は、ケアを提供した者が対象者の居室から退出したことを検出するステップをさらに備えていてもよい。質問を出力するステップは、ケアを提供した者が居室から退出していることを条件として質問を出力することを含んでいてもよい。【００１３】
本開示の他の局面に従うと、コンピューターのプロセッサーによって実行されることにより、コンピューターに上記の方法を実施させるための、プログラムが提供される。【００１４】
本開示のさらに他の局面に従うと、ケアに関する質問を出力する対話端末と通信する通信インターフェースと、ケアの対象者に対するケアの記録に従って、対話端末に対して、質問の出力を指示するプロセッサーとを備え、プロセッサーは、対話端末から質問に対する回答を取得し、当該回答を、ケアの記録に関連付けて記録する、情報処理装置が提供される。【００１５】
本開示のさらに他の局面に従うと、対象者に対するケアに従った質問であって、当該ケアに関する質問を出力する出力部と、質問に対する回答を取得する入力部と、入力部によって取得された回答を、ケアの記録に関連付けて記録するプロセッサーとを備える、ケア情報管理システムが提供される。【００１６】
本開示のさらに他の局面に従うと、対象者に対するケアに従った質問であって、当該ケアに関する質問を出力する出力部と、質問に対する回答を取得する入力部と、入力部によって取得された回答を、ケアの記録を管理するサーバーへ送信する通信インターフェースとを備える、対話端末が提供される。
【発明の効果】
【００１７】
本開示によれば、ケアに関する質問が出力されるとともに、当該質問に対応する回答が、ケアの記録と関連つけられて記録される。
【図面の簡単な説明】
【００１８】
【図１】見守りシステムの構成の一例を示す図である。
【図２】居室９００におけるセンサーの検出範囲の一例を説明するための図である。
【図３】見守りシステムのセンサーボックス１００、管理サーバー２００、および、携帯端末３００のハードウェア構成を示す図である。
【図４】クラウドサーバー４００のハードウェア構成を示す図である。
【図５】対話端末７００のハードウェア構成を示す図である。
【図６】見守りシステムの利用態様の一例を示す図である。
【図７】対話端末７００による質問の出力態様の一例を示す図である。
【図８】見守りシステムにおける機能ブロックの一例を示す図である。
【図９】ケア内容評価データベースの一例を示す図である。
【図１０】ケア内容評価データベースの他の例を示す図である。
【図１１】見守りシステムにおける、ケア作業に関する回答を取得するための処理の流れを示す図である。
【図１２】入居者に対して、ケア作業に関する質問を出力するための処理の流れを示す図である。
【図１３】見守りシステムにおける機能構成の第１の変形例を示す図である。
【図１４】見守りシステムにおける機能構成の第２の変形例を示す図である。
【図１５】ケアに関する回答を取得するための処理の変形例の流れを示す図である。
【図１６】ケアに関する回答を取得するための処理のさらなる変形例の流れを示す図である。
【図１７】回答の集計態様の一例を示す図である。
【発明を実施するための形態】
【００１９】
以下に、図面を参照しつつ、見守りシステムの一実施の形態について説明する。以下の説明では、同一の部品および構成要素には同一の符号を付してある。それらの名称および機能も同じである。したがって、これらの説明は繰り返さない。
【００２０】
［見守りシステムの構成］
図１は、見守りシステムの構成の一例を示す図である。見守り対象の一例として、施設の居室領域ＲＭに設けられた各居室内の入居者が採用される。図１の見守りシステムでは、居室領域ＲＭに、居室９００Ａ，９００Ｂが設けられている。居室９００Ａは、入居者８００Ａに割当てられている。居室９００Ｂは、入居者８００Ｂに割当てられている。図１の例では、見守りシステムに含まれる居室の数は２であるが、当該数はこれに限定されない。
【００２１】
見守りシステムでは、居室９００Ａに設置されたセンサーボックス１００Ａと、居室９００Ｂに設置されたセンサーボックス１００Ｂと、管理センターＳＴに設置された管理サーバー２００と、アクセスポイントＡＰとが、ネットワークＮＴを介して接続される。
【００２２】
見守りシステムでは、スタッフＮＡが携帯する携帯端末３００Ａ、および、スタッフＮＢが携帯する携帯端末３００Ｂは、アクセスポイントＡＰを介してネットワークＮＴに接続される。さらに、センサーボックス１００Ａ，１００Ｂ、管理サーバー２００、および、アクセスポイントＡＰは、ネットワークＮＴを介して、クラウドサーバー４００と通信可能である。
【００２３】
さらに、見守りシステムでは、居室９００Ａ，９００Ｂのそれぞれに設置された対話端末７００Ａ，７００Ｂが、ネットワークＮＴを介して、見守りシステム内の他の装置と接続される。対話端末７００Ａ，７００Ｂのそれぞれは、たとえば、図６において「対話端末７００」として示されるように、くまのぬいぐるみの外観を有するロボットである。ただし、対話端末７００の外観は、いかなるものであってもよく、目や鼻に対応するような構成を持たない筒状の筐体であってもよい。
【００２４】
また、対話端末７００Ａ，７００Ｂは、入居者と対話するキャラクタをディスプレイに表示するものであってもよいし、入居者との対話のための情報（たとえば、質問のメッセージ）をディスプレイに表示するものまたはスピーカーから出力するものであってもよい。
【００２５】
居室９００Ａは、設備として、ベッド９０１Ａ、トイレ９０２Ａ、および、家具９０３Ａを含む。居室９００Ａのドアには、当該ドアの開閉を検出するドアセンサー５１０Ａが設置されている。トイレ９０２Ａのドアには、トイレ９０２Ａの開閉を検出するトイレセンサー５２０Ａが設置されている。ベッド９０１Ａには、入居者８００Ａの排泄情報を取得する臭いセンサー５３０Ａが設置されている。入居者８００Ａは、当該入居者８００Ａのバイタル情報を検出するバイタルセンサー５４０Ａを装着している。検出されるバイタル情報の一例は、入居者の体温である。他の例は、入居者の呼吸である。さらに他の例は、入居者の心拍数である。さらに他の例は、これらの情報の中の２以上の種類の情報である。居室９００Ａでは、入居者８００Ａはケアコール子機５００Ａを操作することができる。
【００２６】
本明細書では、複数のセンサーボックス１００Ａ，１００Ｂに共通する事項を言及する場合には、センサーボックス１００Ａ，１００Ｂを総称する用語「センサーボックス１００」が利用される。同様に、入居者８００Ａ，８００Ｂ、居室９００Ａ，９００Ｂ、ベッド９０１Ａ，９０１Ｂ、トイレ９０２Ａ，９０２Ｂ、家具９０３Ａ，９０３Ｂ、ケアコール子機５００Ａ，５００Ｂ、ドアセンサー５１０Ａ，５１０Ｂ、トイレセンサー５２０Ａ，５２０Ｂ、臭いセンサー５３０Ａ，５３０Ｂ、バイタルセンサー５４０Ａ，５４０Ｂのそれぞれについても同様に、用語「入居者８００」、「居室９００」、「トイレ９０２」、「家具９０３」、「ケアコール子機５００」、「ドアセンサー５１０」、「トイレセンサー５２０」、「臭いセンサー５３０」、「バイタルセンサー５４０」が利用される。
【００２７】
センサーボックス１００Ａは、居室９００Ａ内の物体の挙動を検出するためのセンサーを内蔵する。センサーの一例は、物体の動作を検出するためのドップラーセンサーである。他の例は、カメラである。さらに他の例は、ケアコール子機５００、ドアセンサー５１０、トイレセンサー５２０、臭いセンサー５３０、または、バイタルセンサー５４０である。センサーボックス１００Ａは、センサーとして、これらのセンサー中の少なくとも一つを含む。
【００２８】
図２は、居室９００におけるセンサーの検出範囲の一例を説明するための図である。図２の例では、センサーボックス１００は、居室９００の天井ＣＬに設置される。
【００２９】
範囲ＡＲは、センサーの検出範囲を概略的に表わす。センサーがドップラーセンサーである場合、当該ドップラーセンサーは、範囲ＡＲ内で生じた挙動を検出する。センサーがカメラである場合、当該カメラは、範囲ＡＲ内の画像を撮影する。
【００３０】
図１に戻って、管理センターＳＴに設置された管理サーバー２００は、ディスプレイ２０６および入力デバイス２０９に接続される。入力デバイス２０９は、たとえばキーボードである。
【００３１】
図１の見守りシステムでは、アクセスポイントＡＰを介してネットワークＮＴに接続する携帯端末の数は２（携帯端末３００Ａ，３００Ｂ）とされているが、当該数はこれに限定されない。本明細書では、携帯端末３００Ａ，３００Ｂに共通する事項を言及する場合には、携帯端末３００Ａ，３００Ｂを総称する用語「携帯端末３００」が利用される。
【００３２】
また、対話端末７００Ａ，７００Ｂを総称する用語「対話端末７００」が利用される。
図１の見守りシステムにおける各要素間の通信は、有線であってもよいし、無線であってもよい。
【００３３】
なお、センサーボックス１００は、カメラ１０５および／またはドップラーセンサー１０６を必ずしも備えていなくてもよい。カメラ１０５および／またはドップラーセンサー１０６は、ドアセンサー５１０等と同様に、センサーボックス１００外に設けられてもよい。制御装置１０１は、センサーボックス１００外に設けられたカメラ１０５および／またはドップラーセンサー１０６の検出出力を、所与のインターフェイスを介して取得してもよい。
【００３４】
バイタルセンサー５４０は、必ずしも入居者に装着されていなくてもよい。一例では、バイタルセンサー５４０は、入居者から離間して設置された赤外線センサー等によって実現され、入居者の温度を検出することによってバイタル情報（体温）を出力する。他の例では、バイタルセンサー５４０は、ドップラーセンサー１０６によって実現される。ドップラーセンサー１０６は、入居者に向けてマイクロ波を照射する。当該マイクロ波は、入居者の心臓の拍動による胸部の僅かな変位によってドップラー効果を起こし、その周波数を変動させる。ドップラーセンサー１０６は、当該周波数の変動に基づいて、入居者の心拍を検出する。さらに他の例では、ドップラーセンサー１０６は、入居者の呼吸を検出する。
【００３５】
一例では、対話端末７００は、居室９００内に設置され、音声で入居者と対話する。より具体的には、対話端末７００は、入居者に提供されたケアに関する質問を音声で出力する。入居者が、当該質問に対して音声で回答すると、対話端末７００は、当該回答の音声を取得する。対話端末７００は、管理サーバー２００からの指示に従って、質問を出力してもよい。対話端末７００は、取得した音声を管理サーバー２００に転送してもよい。
【００３６】
対話端末７００と入居者との対話は、音声によるものに限定されず、視覚的な情報を用いたもの（たとえば、質問文の表示）であってもよいし、振動を用いたもの（たとえば、ケアの感想の入力を促すための振動）であってもよいし、これらの態様の組み合わせであってもよい。より具体的には、回答として入力される情報は、音声に限定されず、ボタンやキーボード等の操作による電子的な情報であってもよいし、カメラまたは各種の人感センサー等の機器によって捉えられる視覚的情報（手話、ジェスチャー等）であってもよいし、これらの組み合わせであってもよい。
【００３７】
［見守りシステムの各要素の構成］
図３は、見守りシステムのセンサーボックス１００、管理サーバー２００、および、携帯端末３００のハードウェア構成を示す図である。図４は、クラウドサーバー４００のハードウェア構成を示す図である。図５は、対話端末７００のハードウェア構成を示す図である。以下、図３〜図５を参照して、見守りシステムにおける各装置の構成の一例を説明する。
【００３８】
（センサーボックス１００）
図３に示されるように、センサーボックス１００は、制御装置１０１と、ＲＯＭ（Read  Only  Memory）１０２と、ＲＡＭ（Random  Access  Memory）１０３と、通信インターフェイス１０４と、カメラ１０５と、ドップラーセンサー１０６と、無線通信装置１０７と、記憶装置１２０とを備える。
【００３９】
制御装置１０１は、センサーボックス１００を制御する。制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはこれらの組み合わせなどによって構成される。
【００４０】
通信インターフェイス１０４には、アンテナ（図示しない）などが接続される。センサーボックス１００は、当該アンテナを介して、外部の通信機器との間でデータをやり取りする。外部の通信機器は、たとえば、管理サーバー２００、携帯端末３００、アクセスポイントＡＰ、クラウドサーバー４００、その他の通信端末などを含む。
【００４１】
カメラ１０５は、一実現例では、近赤外カメラである。近赤外カメラは、近赤外光を投光するＩＲ（Infrared）投光器を含む。近赤外カメラが用いられることにより、夜間でも居室９００の内部を表わす画像が撮影され得る。他の実現例では、カメラ１０５は、可視光のみを受光する監視カメラである。さらに他の実現例では、カメラ１０５として、３Ｄセンサやサーモグラフィーカメラが用いられてもよい。センサーボックス１００およびカメラ１０５は、一体的に構成されてもよいし、別体で構成されてもよい。
【００４２】
ドップラーセンサー１０６は、たとえばマイクロ波ドップラーセンサーであり、電波を放射及び受信して、居室９００内の物体の挙動（動作）を検出する。これにより、居室９００内の入居者８００の生体情報が検出され得る。一例では、ドップラーセンサー１０６は、２４ＧＨｚ帯のマイクロ波を各居室９００のベッド９０１に向けて放射し、入居者８００で反射した反射波を受信する。反射波は、入居者８００の動作により、ドップラーシフトしている。ドップラーセンサー１０６は、当該反射波から、入居者８００の呼吸状態や心拍数を検出し得る。
【００４３】
無線通信装置１０７は、ケアコール子機５００、ドアセンサー５１０、トイレセンサー５２０、臭いセンサー５３０、および、バイタルセンサー５４０からの信号を受信し、当該信号を制御装置１０１へ送信する。たとえば、ケアコール子機５００は、ケアコールボタン５０１を備え、当該ケアコールボタン５０１を操作されると、当該操作があったことを示す信号を無線通信装置１０７へ送信する。ドアセンサー５１０、トイレセンサー５２０、臭いセンサー５３０、および、バイタルセンサー５４０のそれぞれは、それぞれの検出出力を無線通信装置１０７へ送信する。
【００４４】
記憶装置１２０は、たとえば、ハードディスクや外付けの記憶装置などの記録媒体である。記憶装置１２０は、制御装置１０１によって実行されるプログラム、および、当該プログラムの実行に利用される各種のデータを格納する。各種のデータは、入居者８００の行動情報を含んでいてもよい。
【００４５】
上記のプログラムおよびデータのうち少なくとも一方は、制御装置１０１がアクセス可能な記憶装置であれば、記憶装置１２０以外の記憶装置（たとえば、制御装置１０１の記憶領域（たとえば、キャッシュメモリーなど）、ＲＯＭ１０２、ＲＡＭ１０３、外部機器（たとえば、管理サーバー２００や携帯端末３００、など）に格納されていてもよい。
【００４６】
（行動情報）
上記の行動情報について、説明する。行動情報は、たとえば入居者８００が所定の行動を実行したことを表わす情報である。一例では、所定の行動は、入居者８００が起きたことを表わす「起床」、入居者８００が寝具から離れたことを表わす「離床」、入居者８００が寝具から落ちたことを表わす「転落」、および、入居者８００が倒れたことを表わす「転倒」の４つの行動を含む。
【００４７】
一実施の形態では、制御装置１０１が、各居室９００に設置されたカメラ１０５が撮像した画像に基づいて、各居室９００に関連付けられた入居者８００の行動情報を生成する。制御装置１０１は、たとえば、上記画像から入居者８００の頭部を検出し、この検出した入居者８００の頭部における大きさの時間変化に基づいて、入居者８００の「起床」、「離床」、「転倒」および「転落」を検出する。以下、行動情報の生成の一具体例を、より詳細に説明する。
【００４８】
まず、記憶装置１２０に、居室９００におけるベッド９０１の所在領域、第１閾値Ｔｈ１、第２閾値Ｔｈ２、および、第３閾値Ｔｈ３が格納される。第１閾値Ｔｈ１は、ベッド９０１の所在領域内において、横臥姿勢にあるときと座位姿勢にあるときとの間で入居者の頭部の大きさを識別する。第２閾値Ｔｈ２は、ベッド９０１の所在領域を除く居室９００内において、入居者の頭部の大きさに基づいて、当該入居者が立位姿勢にあるか否かを識別する。第３閾値Ｔｈ３は、ベッド９０１の所在領域を除く居室ＲＭ内において、入居者の頭部の大きさに基づいて、当該入居者が横臥姿勢にあるか否かを識別する。
【００４９】
制御装置１０１は、対象画像から、例えば背景差分法やフレーム差分法によって、入居者８００の人物の領域として、動体領域を抽出する。制御装置１０１は、さらに、当該抽出した動体領域から、例えば円形や楕円形のハフ変換によって、予め用意された頭部のモデルを用いたパターンマッチングによって、頭部検出用に学習したニューラルネットワークによって導出された閾値を用いて、入居者８００の頭部領域を抽出する。制御装置１０１は、当該抽出された頭部の位置および大きさから、「起床」、「離床」、「転倒」および「転落」を検出する。
【００５０】
制御装置１０１は、上記のように抽出された頭部の位置がベッド９０１の所在領域内にあり、かつ、上記のように抽出された頭部の大きさが第１閾値Ｔｈ１を用いることによって横臥姿勢の大きさから座位姿勢の大きさへと変化したことを検出した場合に、行動「起床」が発生したことを決定してもよい。
【００５１】
制御装置１０１は、上記のように抽出された頭部の位置がベッド９０１の所在領域内からベッド９０１の所在領域外へ移動した場合であって、上記のように抽出された頭部の大きさが第２閾値Ｔｈ２を用いることによって或る大きさから立位姿勢の大きさへと変化したことを検出した場合に、行動「離床」が発生したことを決定してもよい。
【００５２】
制御装置１０１は、上記のように抽出された頭部の位置がベッド９０１の所在領域内からベッド９０１の所在領域外へ移動した場合であって、上記のように抽出された頭部の大きさが第３閾値Ｔｈ３を用いることによって或る大きさから横臥姿勢の大きさへ時間変化した場合には、行動「転落」が発生したと決定してもよい。
【００５３】
制御装置１０１は、上記のように抽出された頭部の位置がベッド９０１の所在領域を除く居室９００内に位置し、かつ、抽出された頭部の大きさが第３閾値Ｔｈ３を用いることによって或る大きさから横臥姿勢の大きさへと変化したことを検出した場合には、行動「転倒」が発生したと決定してもよい。
【００５４】
以上説明されたように、一具体例では、センサーボックス１００の制御装置１０１が、入居者８００の行動情報を生成する。なお、見守りシステムでは、居室９００内の画像を用いて、他の要素が入居者８００の行動情報を生成してもよい。
【００５５】
（管理サーバー２００）
図３に示されるように、管理サーバー２００は、制御装置２０１と、ＲＯＭ２０２と、ＲＡＭ２０３と、通信インターフェイス２０４と、表示インターフェイス２０５と、操作インターフェイス２０７と、記憶装置２２０とを含む。
【００５６】
制御装置２０１は、管理サーバー２００を制御する。制御装置２０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはこれらの組み合わせなどによって構成される。
【００５７】
通信インターフェイス２０４には、アンテナ（図示しない）などが接続される。管理サーバー２００は、当該アンテナを介して、外部の通信機器との間でデータをやり取りする。外部の通信機器は、たとえば、センサーボックス１００を含む。
【００５８】
表示インターフェイス２０５は、ディスプレイ２０６と接続され、制御装置２０１などからの指令に従って、ディスプレイ２０６に対して、画像を表示するための画像信号を送出する。
【００５９】
操作インターフェイス２０７は、たとえば、ＵＳＢ（Universal  Serial  Bus）端子であり、入力デバイス２０９に接続される。操作インターフェイス２０７は、入力デバイス２０９からのユーザー操作を示す信号を受ける。入力デバイス２０９、たとえば、マウス、キーボード、タッチパネル、またはユーザーの入力操作を受け付けることが可能なその他の装置である。
【００６０】
記憶装置２２０は、たとえば、ハードディスクや外付けの記憶装置などの記録媒体である。一実現例では、記憶装置２２０は、制御装置２０１によって実行されるプログラムを格納するが、当該プログラムは、制御装置２０１がアクセス可能な他の記憶装置に格納されていてもよい。
【００６１】
（携帯端末３００）
図３に示されるように、携帯端末３００は、制御装置３０１と、ＲＡＭ３０３と、通信インターフェイス３０４と、ディスプレイ３０５と、入力デバイス３０６と、内部メモリー３２０とを含む。
【００６２】
制御装置３０１は、携帯端末３００を制御する。制御装置３０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【００６３】
通信インターフェイス３０４には、アンテナ（図示しない）などが接続される。携帯端末３００は、当該アンテナおよびアクセスポイントＡＰ（図１）を介して、外部の通信機器との間でデータをやり取りする。外部の通信機器は、たとえば、センサーボックス１００、管理サーバー２００などを含む。
【００６４】
ディスプレイ３０５は、たとえば有機ＥＬ（Electro  Luminescence）ディスプレイによって実現される。入力デバイス３０６は、たとえばディスプレイ３０５に重ねられたタッチセンサーによって実現される。当該タッチセンサーは、携帯端末３００に対する各種操作をタッチ操作で受け付け、当該操作の内容を制御装置３０１へ出力する。
【００６５】
内部メモリー３２０は、たとえば、ｅＭＭＣ（Embedded  MultiMediaCard）などの記録媒体である。一例として、内部メモリー３２０は、制御装置３０１によって実行されるプログラムを格納するが、当該プログラムは、制御装置３０１がアクセス可能な記憶装置であれば、内部メモリー３２０以外の記憶装置に格納されていてもよい。
【００６６】
（クラウドサーバー４００）
図４に示されるように、クラウドサーバー４００は、制御装置４０１と、ＲＯＭ４０２と、ＲＡＭ４０３と、通信インターフェイス４０４と、記憶装置４２０とを含む。
【００６７】
制御装置４０１は、クラウドサーバー４００を制御する。制御装置４０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはこれらの組み合わせなどによって構成される。
【００６８】
通信インターフェイス４０４には、アンテナ（図示しない）などが接続される。クラウドサーバー４００は、当該アンテナを介して、外部の通信機器との間でデータをやり取りする。外部の通信機器は、たとえば、センサーボックス１００、管理サーバー２００を含む。
【００６９】
記憶装置４２０は、たとえば、ハードディスクや外付けの記憶装置などの記録媒体である。一実現例では、記憶装置４２０は、制御装置４０１によって実行されるプログラムを格納するが、当該プログラムは、制御装置４０１がアクセス可能な他の記憶装置に格納あされていてもよい。
【００７０】
（対話端末７００）
図５に示されるように、対話端末７００は、制御装置７０１と、ＲＡＭ７０３と、通信インターフェイス７０４と、スピーカー７１１と、マイク７１２と、ディスプレイ７１３と、内部メモリー７２０とを含む。
【００７１】
制御装置７０１は、対話端末７００を制御する。制御装置７０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはこれらの組み合わせなどによって構成される。
【００７２】
通信インターフェイス７０４には、アンテナ（図示しない）などが接続される。対話端末７００は、当該アンテナを介して、外部の通信機器との間でデータをやり取りする。外部の通信機器は、たとえば、センサーボックス１００、管理サーバー２００を含む。
【００７３】
スピーカー７１１は、制御装置７０１の制御に従って音声を出力し、マイク７１２は、入力された音声を制御装置７０１へ出力する。ディスプレイ７１３は、制御装置７０１の制御に従って情報を表示する。ディスプレイ７１３は、タッチパネルによって構成されていてもよい。この場合、当該タッチパネルは、タッチによる情報の入力を受け付け、入力された情報を制御装置７０１へ出力する。
【００７４】
内部メモリー７２０は、たとえば、ｅＭＭＣなどの記録媒体である。一例として、内部メモリー７２０は、制御装置７０１によって実行されるプログラムを格納するが、当該プログラムは、制御装置７０１がアクセス可能な記憶装置であれば、内部メモリー７２０以外の記憶装置に格納されていてもよい。
【００７５】
（本明細書における「プログラム」という用語の意義）
見守りシステムにおいて、各種の「プログラム」は、単体のプログラムとしてではなく、任意のプログラムの一部に組み込まれて提供される場合があり得る。各種の「プログラム」は、任意の複数のプログラムが協働することによって実現され得る。一例では、センサーボックス１００の制御装置１０１が第１のプログラムを実行することによって本明細書において説明される機能を実現する際に、当該第１のプログラムは、第２のプログラムの一部のモジュールを利用していてもよい。第１のプログラムは、当該機能の実現のための一部のモジュールを含まない場合であっても、当該機能の実現に主に貢献する場合、当該機能を実現するためのプログラムとしての趣旨から逸脱するものではない。また、本明細書において説明される機能は、その一部または全部が専用のハードウェアによって実現されてもよい。さらに、本明細書において説明される機能を提供する装置は、その機能の一部または全部を外部装置から所謂クラウドサービスとして提供される場合もあり得る。
【００７６】
［見守りシステムの利用態様］
図６は、見守りシステムの利用態様の一例を示す図である。図６に示された態様では、見守りシステムを構成する要素間の情報の流れが矢印で示され、各矢印には数字が割り振られている。割り振られた数字は、見守りシステム内の情報の流れの順序の一例を表わす。以下、順序に沿って、見守りシステム内の情報の流れを説明する。
【００７７】
（（１）検出，記録）
センサーボックス１００は、居室９００における入居者８００の挙動（動作）を検出するための種々のデータを取得し、記録する。センサーボックス１００は、取得されたデータから、入居者８００の挙動（行動）を検出する。検出される行動は、たとえば、「起床」「離床」「転落」または「転倒」である。センサーボックス１００は、入居者８００が所定の行動を検出すると、行動の検出を管理サーバー２００へ通知する。
【００７８】
なお、入居者８００の挙動（行動）の検出は、管理サーバー２００で行なわれてもよい。この場合、管理サーバー２００は、センサーボックス１００からデータを取得し、当該データを解析することによって、入居者８００の行動を検出する。
【００７９】
（（２）通知）
管理サーバー２００は、センサーボックス１００からの通知に応じて、携帯端末３００へ、入居者８００を特定する情報とともに検出された行動を通知する。携帯端末３００への通知は、当該入居者８００の居室へかけつけることの指示であってもよい。
【００８０】
（（３）かけつけ、（４）ケア作業）
携帯端末３００における通知を認識すると、スタッフＮＡは、通知の対象である入居者８００の居室９００へとかけつける。そして、スタッフＮＡは、入居者８００に対するケア作業を実施する。
【００８１】
なお、見守りシステムにおいて入居者８００に提供されるケア作業は、通知に対応したものに限定されない。定期的に実施される作業（入床介助、等）であってもよいし、随時実施される作業であってもよい。
【００８２】
（（５）ケア記録入力，（６）ケア記録の登録）
ケア作業を実施したスタッフは、携帯端末３００に、ケア作業の内容の記録（以下、「ケア記録」ともいう）を入力する。携帯端末３００は、入力されたケア記録を管理サーバー２００へ送信する。管理サーバー２００は、送信されたケア記録を、所与のデータベース（たとえば、後述する「ケア内容評価データベース」）に登録する。
【００８３】
一例では、携帯端末３００には、ケア作業用のアプリケーション（以下、「ケア作業用アプリ」ともいう）がインストールされている。
【００８４】
ケア作業用アプリは、管理サーバー２００からの上記通知（（２）通知）に応じて、ディスプレイ３０５に、かけつけ指示画面を表示する。かけつけ指示画面は、たとえば、入居者を特定する情報と、当該入居者の居室へかけつけることが必要な状態であることを報知する情報とを含む。スタッフは、居室にかけつけると、かけつけ指示画面に対してかけつけが完了したことを入力する。上記報知は音声の出力を含んでもよく、当該音声の出力はかけつけ完了の入力に応じて停止してもよい。
【００８５】
ステッフは、さらに、ケア作業が完了すると、ケア作業用アプリに対して、当該ケア作業の内容を、上記ケア記録として入力する。ケア作業用アプリは、通知の内容に応じた、ケア作業の内容の入力用画面を表示してもよい。スタッフは、当該入力用画面を介して、より容易にケア記録を入力できる。
【００８６】
ケア作業用アプリは、入力されたケア記録を管理サーバー２００へ送信する。管理サーバー２００は、所与のデータベースにケア記録を登録する。
【００８７】
（（７）質問用の情報）
管理サーバー２００は、携帯端末３００から入力されたケア記録の内容に従って、入居者に対する質問の内容を選択する。一例では、ケア記録が、かけつけの指示に応じた作業（たとえば、転倒した入居者の介助）の記録であり、選択される質問の内容は、所定の行動が検出されてからスタッフが居室にかけつけるまでの時間を評価するための情報を含む。他の例では、ケア記録が、かけつけの指示によるものではない作業（たとえば、入床介助）の記録であり、選択される質問の内容は、作業の丁寧さについての評価を含む。
【００８８】
管理サーバー２００は、選択された内容の質問を出力するように、対話端末７００へ指示を出力する。上記ケアの対象であった入居者の居室に設置された対話端末７００は、指示に従って質問を出力する。質問の内容は、ケア記録の内容に従ったものでなくてもよい。すなわち、管理サーバー２００は、ケア記録が入力されたことに応じて、対話端末７００に質問の出力を指示するが、質問の内容は、作業の丁寧さ（作業の種類によらない質問の内容の一例）を評価するものであってもよい。
【００８９】
また、管理サーバー２００は、ケア記録の入力の有無に拘わらず、対話端末７００に質問の出力を指示してもよい。一例では、管理サーバー２００は、入居者ごとのケアのスケジュールを参照し、ケアの終了が予定される時刻または当該時刻から所与の時間が経過した後、対話端末７００へ質問の出力を指示してもよい。
【００９０】
（（８）質問，（９）回答）
対話端末７００は、管理サーバー２００の指示に応じて、質問を出力する。質問の出力は、音声（スピーカー７１１）、視覚的情報（ディスプレイ７１３）、もしくは、振動（図示せぬバイブレーター）、または、これらの組み合わせによるものであってもよい。
【００９１】
図７は、対話端末７００による質問の出力態様の一例を示す図である。対話端末７００は、ベッド９０１の近傍に位置し、音声で、ベッド９０１上の入居者８００に対して質問を出力する。入居者が回答のための音声を発すると、対話端末７００は当該音声の入力を受け付ける。
【００９２】
図７の例では、対話端末７００は、１つ目の質問Ｑ（１）として、メッセージ「かけつけ時間は早かった？」を音声で出力する。これに応じて、入居者８００は、回答Ａ（１）として、「すぐ来てくれたのでたすかったよ。」と答える。
【００９３】
図７の例では、１つ目の質問に対する回答が終了したと判断すると、対話端末７００は、さらに２つ目の質問Ｑ（２）として、メッセージ「作業は丁寧だった？」を音声で出力する。これに応じて、入居者８００は、回答Ａ（２）として、「新人さんだからかな？慣れていない感じだったね。」と答える。
【００９４】
入居者からの回答は、音声（発声）であってもよいし、タッチパネルへのタッチ入力であってもよいし、テキスト情報の入力であってもよいし、手話などのジェスチャーであってもよい。回答としてジェスチャーを受け付ける場合、対話端末７００は、カメラを備えていてもよい。
【００９５】
（（１０）回答内容）
対話端末７００は、入居者の回答を受け付け、当該回答の内容を管理サーバー２００へ送信する。一例では、対話端末７００は、質問を出力した後、一定期間、または、所与のレベル以上の音声が検出されている期間、マイク７１２を介して、音声の入力を受け付ける。上記一定期間が終了したこと、無音状態が予め定められた期間（たとえば、５秒間）継続したこと、および／または、予め定められたメッセージ（たとえば、「ありがとう。」「これで回答を終わりです。」等）が検出されたことに応じて、対話端末７００は、管理サーバー２００へ、回答の内容を送信する。
【００９６】
送信される内容は、取得されたデータのファイル（音声ファイル、画像ファイル、等）であってもよいし、入力された音声等のデータの解析結果（文字情報、回答として操作されたボタンの種類を特定する情報、等）であってもよい。解析結果の一例は、入力された音声から音声認識技術によって生成された文字情報である。他の例は、入力された音声から、音声認識技術によって特定された評価のレベルである。たとえば、入居者は、「よかった。」「悪かった。」および「普通だった。」という３種類のメッセージの中のいずれかを発する。対話端末７００は、入力された音声を認識することにより、いずれのメッセージが発せられたかを特定する。そして、対話端末７００は、特定されたメッセージを、回答内容として管理サーバー２００へ送信する。
【００９７】
（（１１）評価記録）
管理サーバー２００は、対話端末７００から送信された回答内容を、当該回答が対応するケア記録と関連付けて、所与のデータベースに登録する。一例では、管理サーバー２００は、回答内容の代わりに、または、回答とともに、ケアについての評価を登録する。評価は、たとえば、対話端末７００から送信された回答内容を解析することによって生成される。
【００９８】
（（１２）検出設定変更）
管理サーバー２００は、ケアの評価に従って、センサーボックス１００による検出の設定を変更する。一例では、ある入居者に対応するセンサーボックス１００が、「離床」の検出に応じて、スタッフのかけつけのための検出出力を管理サーバー２００へ送信するように設定されている場合を想定する。「離床」の検出に対応したケア作業に対する入居者からの回答内容が、スタッフのかけつけが遅いことを示す情報を含む場合、管理サーバー２００は、センサーボックス１００に、管理サーバー２００への検出出力の送信の条件を変更するように指示してもよい。より具体的には、管理サーバー２００は、「離床」ではなく「起床」の検出に応じて、スタッフのかけつけのための検出出力を送信するように、設定変更の指示を送信する。管理サーバー２００からの指示に応じて、センサーボックス１００は、当該センサーボックス１００における設定を変更する。
【００９９】
（（１３）ケア記録ＵＩ変更）
管理サーバー２００は、ケアの評価に従って、携帯端末３００のＵＩの設定を変更する。
【０１００】
一例では、入居者Ａが、入居者Ｂよりも、スタッフのかけつけが遅いことを示すように回答する頻度が高い場合、管理サーバー２００は、入居者Ａの居室へのかけつけの通知を、入居者Ｂの居室へのかけつけの通知よりも優先して表示するように、携帯端末３００のＵＩの設定を変更する。この場合、管理サーバー２００は、各携帯端末３００にインストールされているケア作業用アプリに、設定変更を指示する。これに応じて、各携帯端末３００は、ケア作業用アプリにおける設定を変更する。これにより、入居者Ａの居室へのかけつけと入居者Ｂの居室へのかけつけが同時に必要になった場合に、各携帯端末３００では、前者のかけつけの通知が後者のかけつけの通知に対して優先して表示される。
【０１０１】
［見守りシステムの機能ブロック］
図８は、見守りシステムにおける機能ブロックの一例を示す図である。図８を参照して、見守りシステムが備える各機能を説明する。
【０１０２】
（センサーボックス１００）
センサーボックス１００は、センサー入力部１９１および画像入力部１９２として機能する。
【０１０３】
センサー入力部１９１は、入居者の挙動（動作）を検出し、たとえば、ドップラーセンサー１０６、ケアコール子機５００、ドアセンサー５１０、トイレセンサー５２０、および／または、臭いセンサー５３０によって構成される。
【０１０４】
画像入力部１９２は、居室内の画像を取得し、たとえばカメラ１０５によって構成される。
【０１０５】
（管理サーバー２００）
管理サーバー２００は、かけつけ支援サービス管理部２９１、ケア内容評価データベース管理部２９２、ケア内容記録部２９３、および、ケア記録サービス管理部２９４として機能する。
【０１０６】
かけつけ支援サービス管理部２９１は、センサーボックス１００のセンサー入力部１９１および／または画像入力部１９２によって取得されたデータを用いて、居室９００へのかけつけの要否を判断する。かけつけが必要であると判断すると、携帯端末３００へ、けけつけのための通知を指示する。
【０１０７】
かけつけ支援サービス管理部２９１がかけつけを要する挙動の発生を検出する代わりに、センサーボックス１００が当該挙動の発生を検出してもよい。この場合、かけつけ支援サービス管理部２９１は、センサーボックス１００からの当該検出の出力を取得する。かけつけ支援サービス管理部２９１は、当該検出の出力を取得すると、携帯端末３００へ、かけつけのための通知を指示する。
【０１０８】
ケア記録サービス管理部２９４は、携帯端末３００から送信される、ケア記録をケア内容評価データベース管理部２９２へ送信する。
【０１０９】
また、ケア内容評価データベース管理部２９２は、対話端末７００へ、ケアに関する質問の出力の指示を送信する。当該指示の送信により、見守りシステムでは、結果として対話端末７００から質問が出力される。この意味において、ケア内容評価データベース管理部２９２からの質問の出力の指示は、実質的に質問の出力であるとも言える。
【０１１０】
ケア内容評価データベース管理部２９２は、対話端末７００から送信される、ケア作業に関する質問に対する回答を取得し、当該回答を利用して、ケア内容の評価を蓄積するデータベースを管理する。図９は、ケア内容評価データベースの一例を示す図である。
【０１１１】
図９に示されるように、ケア内容評価データベースは、１行ごとに、１回のケアについての情報を格納する。ケア内容評価データベースには、各ケアについて、作業時刻と、ケア作業記録と、評価項目とが格納される。作業時刻は、各ケア作業の、開始時刻（Begin）と終了時刻（End）とを含む。
【０１１２】
一例では、ケア内容評価データベース管理部２９２は、かけつけ支援サービス管理部２９１が携帯端末３００へかけつけのための通知を行ったことに応じて、ケア内容評価データベースに新たな行を生成する。
【０１１３】
ケア内容評価データベース管理部２９２は、いずれかのスタッフが通知の対象となった居室におけるケアを開始した時刻を、作業の開始時刻として、ケア内容評価データベースに登録する。ケアが開始された時刻の一例は、いずれか携帯端末３００が居室に到着した時刻であり、各携帯端末３００の位置情報に基づいて特定される。他の例は、いずれかの携帯端末３００に対して、スタッフが、ケアを開始することを示す情報を入力した時刻である。さらに他の例は、居室のカメラ１０５の撮像画像において、スタッフが認識された時刻である。当該時刻は、たとえば、カメラ１０５の撮像画像に対する画像認識によって特定される。
【０１１４】
ケア内容評価データベース管理部２９２は、ケアが終了した時刻を、作業の終了時刻としてケア内容評価データベースに登録する。ケアが終了した時刻の一例は、いずれかの携帯端末３００に対して、ケアの終了が入力された時刻である。他の例は、携帯端末３００から管理サーバー２００へケア記録が送信された時刻である。さらに他の例は、カメラ１０５の撮像画像の解析等により、スタッフが居室から退室することが検出された時刻である。
【０１１５】
ケア内容評価データベースにおいて、ケア作業記録は、ケア内容と、画像と、入居者体温とを含む。ケア内容は、ケア作業の分類を示す。画像は、ケア作業中の居室内の映像を示す。入居者体温は、ケア作業中（ならびに／または、作業開始時および／もくしは終了時）の入居者の状態を表す情報の一例である。
【０１１６】
一例では、ケア内容評価データベース管理部２９２は、ケア記録から、提供されたケア作業の分類を抽出して、ケア内容として、ケア内容評価データベースに登録する。ケア作業の分類を特定する情報は、スタッフによって入力されてもよいし、ケア作業用アプリが管理サーバー２００からの通知内容（または、センサーボックス１００において各種のセンサーによって取得され、管理サーバー２００に送信されたデータ）に基づいて特定してもよい。
【０１１７】
他の例では、ケア内容評価データベース管理部２９２は、予めスケジュールされたケア作業の内容（たとえば、入床介助）を、ケア内容として、ケア内容評価データベースに登録する。
【０１１８】
ケア内容評価データベース管理部２９２は、ケアの開始から終了までの一定時間ごとにバイタルセンサー５４０によって検出される入居者の体温を、入居者体温として、ケア内容評価データベースに登録する。なお、ケア内容評価データベース管理部２９２は、入居者の体温の代わりに、または、入居者の体温に加えて、入居者の状態を表す情報（心拍数、血圧、等）を、ケア内容評価データベースに登録してもよい。登録される情報の種類は、ケア内容に従って選択されてもよい。入居者の状態を表す情報は、携帯端末３００から入力されてもよい。入居者の状態を表す情報の他の例は、入居者の水分補給量である。
【０１１９】
ケア内容評価データベースにおいて、評価項目は、質問の項目ごと（かけつけ時間、作業の丁寧さ、等）の入居者の回答を含む。ケア内容評価データベース管理部２９２は、評価項目の一例として、回答として取得された音声ファイルを、ケア内容評価データベースに登録する。
【０１２０】
図９には、６月３日の７時００分に開始し、同日の７時１０分に終了した、ケア作業の情報が示されている。当該ケア作業の内容は「入床介助」であり、当該ケア作業の映像はファイル名「映像001.mp4」の画像ファイルとして登録され、入居者の（ケアの開始時、途中、または、終了時）の体温は３６度である。評価項目として、「かけつけ時間」に関する回答はファイル名「音声901.mp4」として登録され、「作業の丁寧さ」に関する回答はファイル名「音声902.mp4」として登録されている。
【０１２１】
ケア内容評価データベース管理部２９２は、評価内容として、入居者からの回答の解析結果を登録してもよい。回答内容は、携帯端末３００または管理サーバー２００において解析される。
【０１２２】
図１０は、ケア内容評価データベースの他の例を示す図である。図１０の例では、ケア内容評価データベースには、評価項目として、各質問項目に対する回答の解析結果（良い／普通／悪い）が登録される。
【０１２３】
ケア内容記録部２９３は、センサー入力部１９１および／または画像入力部１９２から、ケア作業中の居室内の画像および／または入居者の状態を取得し、ケア内容評価データベースに登録する。登録される画像の一例は、ケア作業内容中の「画像」である。登録される入居者の状態の一例は、入居者体温である。
【０１２４】
（携帯端末３００）
図８に戻って、携帯端末３００は、かけつけ通知ＵＩ部３９１およびケア記録ＵＩ部３９２として機能する。かけつけ通知ＵＩ部３９１は、管理サーバー２００のかけつけ支援サービス管理部２９１からの指示に応じて、かけつけ通知用の画面を表示する。ケア記録ＵＩ部３９２は、入力されたケア記録を、管理サーバー２００のケア記録サービス管理部２９４へ送信する。
【０１２５】
一例では、かけつけ通知ＵＩ部３９１は、ケア作業用アプリを実行する制御装置３０１と、かけつけ通知用の画面を表示するディスプレイ３０５とによって構成される。
【０１２６】
一例では、ケア記録ＵＩ部３９２は、ケア作業用アプリを実行する制御装置３０１と、ケア記録を入力するための画面を表示するディスプレイ３０５と、ステッフからのケア記録の入力を受け付ける入力デバイス３０６とによって構成される。
【０１２７】
（対話端末７００）
対話端末７００は、質問ＵＩ部７９１および回答ＵＩ部７９２として機能する。質問ＵＩ部７９１は、質問を出力し、たとえば、スピーカー７１１および／またはディスプレイ７１３によって構成される。図８の例では、ケア内容評価データベース管理部２９２は、ケア作業の後、質問ＵＩ部７９１へ、質問の出力を指示する。なお、質問ＵＩ部７９１は、ケア内容評価データベース管理部２９２からの指示無しに、予めスケジュールされたケア作業の終了時刻の到来等に応じて、質問を出力してもよい。
【０１２８】
回答ＵＩ部７９２は、入居者からの回答を取得し、当該回答を管理サーバー２００へ送信する。回答ＵＩ部７９２は、たとえば、マイク７１２、または、図示しないタッチパネルもしくはカメラによって構成される。
【０１２９】
なお、図８に示された各機能の配置は、単なる一例である。図８の例では単一の装置に割当てられた２以上の機能のそれぞれが、異なる装置において実現されてもよい。たとえば、図８の例では、管理サーバー２００には、携帯端末３００に通知を指示する機能（かけつけ支援サービス管理部２９１）と、対話端末７００に質問の出力を指示する機能（ケア内容評価データベース管理部２９２）とが割当てられたが、これらの機能は互いに別の装置に割当てられてもよい。
【０１３０】
また、図８の例において複数の装置に割当てられた機能が単一の装置において実現されてもよい。たとえば、図８の例では、入居者からの回答を管理する機能（ケア内容評価データベース管理部２９２）が管理サーバー２００に設けられ、入居者からの回答を取得する機能（回答ＵＩ部７９２）が対話端末７００に設けられているが、これらの機能の双方が対話端末７００に割当てられてもよい。この場合、対話端末７００は、ケア情報管理システムを構成する。
【０１３１】
［処理の流れ（回答の取得）］
図１１は、見守りシステムにおける、ケア作業に関する回答を取得するための処理の流れを示す図である。図１１を参照して、当該処理の流れを説明する。図１１の処理は、たとえば、管理サーバー２００の制御装置２０１が所与のプログラムを実行することによって実現される。
【０１３２】
図１１を参照して、ステップＳ１０にて、制御装置２０１は、ケア作業が開始されたか否かを判断する。ケア作業の開始は、たとえば、いずれかの携帯端末３００においてケアの開始を示す情報が入力され、当該情報の入力が管理サーバー２００へ送信されたことによって検出される。制御装置２０１は、ケア作業の開始が検出されるまで、ステップＳ１０の制御を繰り返し（ステップＳ１０にてＮＯ）、ケア作業の開始を検出すると（ステップＳ１０にてＹＥＳ）、ステップＳ２０へ制御を進める。
【０１３３】
ステップＳ２０にて、制御装置２０１は、ケア作業の記録を開始する。ケア作業の記録は、たとえば、センサーボックス１００から画像および／または各種のセンサーの検出出力を取得することによって実現される。
【０１３４】
ステップＳ３０にて、制御装置２０１は、ケア作業が終了したか否かを判断する。ケア作業の終了は、たとえば、いずれかの携帯端末３００においてケアの終了を示す情報が入力され、当該情報の入力が管理サーバー２００へ送信されたことによって検出される。制御装置２０１は、ケアの終了が検出されるまで、ステップＳ３０の制御を繰り返し（ステップＳ３０にてＮＯ）、ケア作業の終了を検出すると（ステップＳ３０にてＹＥＳ）、ステップＳ４０へ制御を進める。
【０１３５】
ステップＳ４０にて、制御装置２０１は、ステップＳ２０で開始されたケア作業の記録を終了させる。これにより、管理サーバー２００には、少なくともケア作業の開始から終了までの居室内の画像および／または入居者の状態が記録される。
【０１３６】
ステップＳ５０にて、制御装置２０１は、対話端末７００に、質問の出力を指示する。
ステップＳ６０にて、制御装置２０１は、対話端末７００から、上記質問の回答を取得する。
【０１３７】
ステップＳ７０にて、制御装置２０１は、対話端末７００から取得された回答を所与のデータベース（ケア内容評価データベース）に格納して、図１１の処理を終了させる。
【０１３８】
［処理の流れ（質問の出力）］
図１２は、入居者に対して、ケア作業に関する質問を出力するための処理の流れを示す図である。図１２の処理は、たとえば対話端末７００の制御装置７０１が所与のプログラムを実行することによって実現される。
【０１３９】
図１２を参照して、ステップＳＡ１０にて、制御装置７０１は、管理サーバー２００から質問の出力を指示されたか否かを判断する。制御装置７０１は、質問の出力の指示があるまでステップＳＡ１０の制御を繰り返し（ステップＳＡ１０にてＮＯ）、当該指示があったと判断すると（ステップＳＡ１０にてＹＥＳ）、ステップＳＡ２０へ制御を進める。
【０１４０】
ステップＳＡ２０にて、制御装置７０１は、質問を出力する。一例では、出力される質問の内容は管理サーバー２００からの指示に従って決定される。他の例では、出力される質問の内容は、管理サーバー２００からの指示の内容に拘わらず、対話端末７００において予め設定されている。
【０１４１】
ステップＳＡ３０にて、制御装置７０１は、マイク７１２等を介して回答の入力を受け付け、受け付けた回答を管理サーバー２００へ送信する。
【０１４２】
［質問の送信タイミングの調整］
（機能ブロックの変形例）
見守りシステムでは、対話端末７００からの質問の出力は、居室からケアを提供したステッフが退出した後で実行されてもよい。図１３は、見守りシステムにおける機能構成の第１の変形例を示す図である。図１４は、見守りシステムにおける機能構成の第２の変形例を示す図である。
【０１４３】
図１３の例では、管理サーバー２００は、さらに在室者判定部２９５として機能する。在室者判定部２９５は、たとえば所与のプログラムを実行する制御装置２０１によって構成され、センサー入力部１９１および／または画像入力部１９２からのデータに従って、居室からスタッフが退出したか否かを判断する。一例では、在室者判定部２９５は、画像入力部１９２から居室内の画像を連続的に取得し、当該画像からスタッフとして認識される物体が消滅したことを検出すると、ケア内容評価データベース管理部２９２に通知する。ケア内容評価データベース管理部２９２は、ケア作業の終了後、在室者判定部２９５から、スタッフが居室から退出したことを表わす通知を受けたことに応じて、対話端末７００へ質問の出力を指示する。
【０１４４】
図１４の例では、管理サーバー２００は、在室者判定部２９５として機能し、さらに、携帯端末３００は、位置情報取得部３９３として機能する。位置情報取得部３９３は、携帯端末３００の現在位置を取得し、たとえば、携帯端末３００に備えられた、ＧＰＳ（Global  Positioning  System）のレシーバーによって構成される。なお、位置情報取得部３９３は、携帯端末３００とは異なる装置（たとえば、見守りシステム内の各携帯端末３００の位置を管理する装置）によって構成されてもよい。在室者判定部２９５は、位置情報取得部３９３によって取得された位置情報が居室の外を表わすことを検出すると、スタッフが居室から退出したことと判断する。ケア内容評価データベース管理部２９２は、ケア作業の終了後、在室者判定部２９５から、スタッフが居室から退出したことを表わす通知を受けたことに応じて、対話端末７００へ質問の出力を指示する。
【０１４５】
図１３または図１４の例の他に、在室者判定部２９５は、施設内のオプティカルフロー（たとえば、廊下に配置されたセンサーによるもの、または、廊下に配置された機器とスタッフが携帯する携帯端末３００との近距離無線通信の通信内容によるもの）に基づいて、スタッフの居室からの退出を判断してもよい。
【０１４６】
（処理の流れ）
図１５は、ケアに関する回答を取得するための処理の変形例の流れを示す図である。図１５の処理は、図１１の処理に対して、ステップＳ４２の制御をさらに含む。以下に、図１１の処理に対する、図１５の処理の相違点を中心に説明する。
【０１４７】
図１５の処理では、ステップＳ４０にてケア作業の記録を終了した後、ステップＳ４２にて、制御装置２０１は、作業者（ケア作業を提供したスタッフ）が居室から退出しているか否かを判断する。制御装置２０１は、作業者の居室からの退出を検出するまでステップＳ４２の制御を繰り返し（ステップＳ４２にてＮＯ）、作業者の居室からの退出を検出すると（ステップＳ４２にてＹＥＳ）、ステップＳ５０へ制御を進める。
【０１４８】
ステップＳ５０にて、制御装置２０１は、対話端末７００へ質問の出力を指示する。
［質問内容の選択］
見守りシステムでは、対話端末７００から出力される質問の内容は、入居者に対して提供されたケア作業の内容に従って選択される。ここでは、出力される質問の内容は管理サーバー２００によって選択される例を示すが、当該選択は、対話端末７００によってなされてもよい。この場合、管理サーバー２００は、質問の出力の指示とケア作業の内容とを対話端末７００へ送信する。対話端末７００は、ケア作業の内容に従って、当該対話端末７００が出力する質問の内容を選択する。
【０１４９】
図１６は、ケアに関する回答を取得するための処理のさらなる変形例の流れを示す図である。図１６の処理は、図１１の処理に対して、ステップＳ４４の制御をさらに含む。以下に、図１１の処理に対する、図１６の処理の相違点を中心に説明する。
【０１５０】
図１６を参照して、ステップＳ４０にて、ケア作業の記録を終了した後、ステップＳ４４にて、制御装置２０１は、ケア作業の内容（たとえば、ケア内容評価データベースの項目「ケア内容」）に従って質問の内容を選択する。
【０１５１】
一例では、ケア内容が離床介助（たとえば、「離床」が検出されたことに応じて管理サーバー２００からかけつけの通知が出力されるケア内容）である場合には、選択される質問の内容は、「失禁までの余裕の有無」を含み、「介助後の快適さ」を含まない。一方、ケア内容がベッド上での排泄介助（たとえば、臭いセンサー５３０によって排泄が検出されたことに応じて管理サーバー２００からかけつけの通知が出力されるケア内容）である場合には、選択される質問の内容は、「介助後の快適さ」を含み、「失禁までの余裕の有無」を含まない。
【０１５２】
ステップＳ５０にて、制御装置２０１は、ステップＳ４４にて選択された内容の質問を出力することを、対話端末７００へ指示する。
【０１５３】
［他の変形例］
見守りシステムでは、ケア作業の実施後、対話端末７００が入居者に対して質問を出力する。ケア作業の実施（終了）は、携帯端末３００からのケア記録の入力に従って判断されてもよいし、センサーボックス１００から出力されるデータに従って判断されてもよい。一例では、居室内で入居者が、ベッドからトイレに移動したこと、または、ベッドからトイレに移動した後でベッドに戻ったことが検出されたことに応じて、ケア作業の実施（終了）が検出されてもよい。この場合のケア作業の実施は、たとえば、カメラ１０５によって撮影された画像の解析、または、トイレセンサー５２０の検出出力に基づいて、判断され得る。
【０１５４】
見守りシステムでは、同じ質問の内容について、複数パターンのメッセージが準備されていてもよい。たとえば、対話端末７００には、「かけつけ時間」という内容について、「かけつけは早かった？」「かけつけは遅くなかった？」および「スタッフの人は間に合った？」等の複数パターンのメッセージが格納されていてもよい。制御装置７０１は、たとえば、ある内容について、一定期間内に複数回、質問を出力する指示を受けた場合には、前回出力したメッセージとは異なる種類のメッセージを選択して、出力してもよい。また、このようなメッセージの選択は、管理サーバー２００の方でなされてもよい。
【０１５５】
［回答の利用］
見守りシステムでは、管理サーバー２００は、対話端末７００から取得した回答を、ケア作業の内容ごとに集計することにより、ケア作業の内容ごとに入居者の満足度に関する情報を生成することができる。
【０１５６】
図１７は、回答の集計態様の一例を示す図である。図１７において、作業ＩＤは、ケア作業の内容を特定する。作業ＩＤ「０１」は、作業内容「入床介助」を表わす。作業ＩＤ「０２」は、作業内容「離床介助」を表わす。
【０１５７】
図１７の例では、ケア作業の内容ごとに、複数の評価項目の回答内容が示されている。より具体的には、管理サーバー２００は、ケア作業ごとに、対話端末７００に複数種類の質問の出力を指示し、各質問に対する回答を対話端末７００から取得し、各回答の内容を解析することによって、質問毎に「ＯＫ」または「ＮＧ」の評価を付与する。回答内容が、質問内容に対応する項目に対して入居者が満足することを表わす場合（たとえば、「良かった」または「普通」）、当該項目に対して評価「ＯＫ」が付与される。回答内容が、質問内容に対応する項目に対して入居者が不満を感じていることを表わす場合（たとえば、「悪かった」）、当該項目に対して評価「ＮＧ」が付与される。入居者が満足しているか不満を感じているかは、たとえば、音声認識によって導出される文字情報に基づいて判断される。
【０１５８】
図１７の例によれば、管理サーバー２００は、ケア作業ごとに、評価「ＯＫ」を付与された項目の数を計数し、評価「ＮＧ」の数に応じて、各ケア作業についての評価を出力し得る。
【０１５９】
図１７に示された態様での、ケア作業ごとの評価は、スタッフごとに実施され得る。このようなスタッフごとの評価は、たとえば、対話端末７００から取得される回答が対応するケア記録がどの携帯端末３００から入力されたかに基づいて、実現され得る。この場合、管理サーバー２００は、スタッフごとに、ケア作業の評価情報を生成し得る。
【０１６０】
管理サーバー２００は、スタッフが携帯する携帯端末３００に、当該スタッフについてのケア作業ごとの評価情報を送信し得る。管理サーバー２００は、かけつけの通知を送信する際に、当該かけつけにおいて必要とされることが予測されるケア作業について高い評価を付与されたスタッフの携帯端末３００に、優先的に、当該通知を送信してもよい。
【０１６１】
本開示において、対話端末７００から出力される質問は、予め管理サーバー２００または対話端末７００に登録されていてもよいし、質問の出力時に生成されてもよい。生成される場合、質問は、たとえばケア作業の内容に基づいて生成される。たとえば、ケア作業の内容が「着替え介助」である場合、「着替え」という用語が用いられることにより、質問「スタッフさんの着替えの作業は上手だった？」が生成される。
【０１６２】
また、見守りシステムにおいて、作業内容は、入居者からの回答から特定されてもよい。一例では、対話端末７００から出力される質問「作業内容は何でしたか？」に対する回答を音声認識によって解析することによって得られた文言が、作業内容として特定されてもよい。作業内容は、カメラ１０５によって撮影された画像から特定されても良い。たとえば、作業中の画像を解析することによって得られた動作が、入居者をベッドからトイレに移動させるものである場合に、作業内容「トイレへの移動介助」が特定され、当該作業内容に関連付けられた質問が出力されてもよい。
【０１６３】
今回開示された各実施の形態は全ての点で例示であって制限的なものではないと考えられるべきである。本発明の範囲は上記した説明ではなくて請求の範囲によって示され、請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１６４】
１００，１００Ａ，１００Ｂ  センサーボックス、１０１，２０１，３０１，４０１，７０１  制御装置、１０５  カメラ、１０６  ドップラーセンサー、１０７  無線通信装置、１２０，２２０，４２０  記憶装置、１９１  センサー入力部、１９２  画像入力部、２００  管理サーバー、２０５  表示インターフェイス、２０６，３０５，７１３  ディスプレイ、２０７  操作インターフェイス、２０９，３０６  入力デバイス、２９１  支援サービス管理部、２９２  ケア内容評価データベース管理部、２９３  ケア内容記録部、２９４  ケア記録サービス管理部、２９５  在室者判定部、３００，３００Ａ，３００Ｂ  携帯端末、３２０，７２０  内部メモリー、３９１  かけつけ通知ＵＩ部、３９２  ケア記録ＵＩ部、３９３  位置情報取得部、４００  クラウドサーバー、５００，５００Ａ，５００Ｂ  ケアコール子機、５０１  ケアコールボタン、５１０，５１０Ａ，５１０Ｂ  ドアセンサー、５２０，５２０Ａ，５２０Ｂ  トイレセンサー、５３０，５３０Ａ，５３０Ｂ  センサー、５４０，５４０Ａ，５４０Ｂ  バイタルセンサー、７００，７００Ａ，７００Ｂ  対話端末、７１１  スピーカー、７１２  マイク、７９１  質問ＵＩ部、７９２  回答ＵＩ部、８００，８００Ａ，８００Ｂ，Ａ，Ｂ  入居者、９００，９００Ａ，９００Ｂ  居室、９０１，９０１Ａ，９０１Ｂ  ベッド、９０２，９０２Ａ，９０２Ｂ  トイレ。
【図１】
2020066313.tif 000003
【図２】
2020066313.tif 000004
【図３】
2020066313.tif 000005
【図４】
2020066313.tif 000006
【図５】
2020066313.tif 000007
【図６】
2020066313.tif 000008
【図７】
2020066313.tif 000009
【図８】
2020066313.tif 000010
【図９】
2020066313.tif 000011
【図１０】
2020066313.tif 000012
【図１１】
2020066313.tif 000013
【図１２】
2020066313.tif 000014
【図１３】
2020066313.tif 000015
【図１４】
2020066313.tif 000016
【図１５】
2020066313.tif 000017
【図１６】
2020066313.tif 000018
【図１７】
2020066313.tif 000019
【国際調査報告】
2020066313.tif 000020
2020066313.tif 000021
2020066313.tif 000022
2020066313.tif 000023